(57)【要約】【課題】埋設ケーブルに用いる複合式故障探測方法或いは装置を提供する。【解決手段】主に架埋設ケーブルの二個の導体の間ロードに応じて定める第一及び第二標準値に対する測量のステップを含む。続いて指示を提供し、これに基づき該標準値の算術組合せが予定臨界値を超過したか否かを指示する。該指示は技術人員に対して異常状況の警告を発し、及び／或いは分岐ポートを失効させ、危険な状況を消去する。別の実施例では、二個以上でかつ埋設ケーブルに組合せる各分岐ポートの装置を設置し、交換ネットワークを制御可能なマイクロプロセッサを含み、予定臨界値と少なくとも二個の課すケーブル中の一個のロードに応じて定める標準値を比較後反応する。【選択図】図３
2004194466.tif 000002
【特許請求の範囲】
【請求項１】
主に以下のステップを含み、
（ａ）埋設ケーブルの二つの導体間に周期電力信号を提供し、
（ｂ）該埋設ケーブルの測量された二つの導体間のロードに応じて、電流及び電圧に関する第一及び第二標準値を決定し、
（ｃ）該標準値による所定の算出された値が予定臨界値を超過してないかどうかの指示を提供することを特徴とする埋設ケーブルに用いる複合式故障探測方法。
【請求項２】
前記方法は別に以下のステップを含み、
（ｄ）指示が予定臨界値を超過した異常作動のポジティブであるなら、少なくとも一個の分岐ポートを遮断させ、ポジティブでないなら少なくとも一個の分岐ポートを遮断させないことを特徴とする請求項１記載の埋設ケーブルに用いる複合式故障探測方法。
【請求項３】
前記ステップ（ｃ）はステップ（ｃ１）を含み、
該スッテプ（ｃ１）は前記算出された値がボルト数量で表示可能な電力測量を導出することを特徴とする請求項１記載の埋設ケーブルに用いる複合式故障探測方法。
【請求項４】
前記ステップ（ｃ１）はステップ（ｃ２）を含み、
前記ステップ（ｃ２）は、もし電力測量が約１００ＡＶを超過した時に故障状況の発生を指示し、超過しない時は一般には故障状況発生を指示しないことを特徴とする請求項３記載の埋設ケーブルに用いる複合式故障探測方法。
【請求項５】
前記ステップ（ｂ）は別に以下のステップ（ｂ１）および（ｂ２）を含み、
前記スッテプ（ｂ１）は、サイクル電力信号の一部分をロードに通電し
前記スッテプ（ｂ２）は、該通電した値をサンプルとし、電流及び電圧に関する第一及び第二標準値を獲得することを特徴とする請求項１記載の埋設ケーブルに用いる複合式故障探測方法。
【請求項６】
前記ステップ（ｂ２）は、サンプル取得周期２Ｆはサイクル電力信号の標称サイクルより小さいことを特徴とする請求項５記載の埋設ケーブルに用いる複合式故障探測方法。
【請求項７】
前記サイクル電力信号の標称サイクルは６０Ｈｚで、サンプル取得ステップｂ２は５０ミリ秒の間隔内において開始と完了を行なうことを特徴とする請求項５記載の埋設ケーブルに用いる複合式故障探測方法。
【請求項８】
前記測量ステップ（ｂ）はステップ（ｂ２）を含み、各数値の平均により算術組合せを獲得することを特徴とする請求項５記載の埋設ケーブルに用いる複合式故障探測方法。
【請求項９】
前記測量ステップ（ｂ）はステップ（ｂ１）を含み、第一標準値を測量し電流通過ロードの指示とすることを特徴とする請求項１記載の埋設ケーブルに用いる複合式故障探測方法。
【請求項１０】
前記測量ステップ（ｂ）は以下の各ステップを含み、
（ｂ２）第二標準値を測量し、全ロードの電圧指示とし、
（ｂ３）第一数値を第二数値に掛け、散逸するロード中の電力の指示を得て、算術組合せとすることを特徴とする請求項９記載の埋設ケーブルに用いる複合式故障探測方法。
【請求項１１】
前記測量ステップ（ｂ）は（ｂ１）を含み、
第一標準値を測量し全ロードの電圧の指示とすることを特徴とする請求項１記載の埋設ケーブルに用いる複合式故障探測方法。
【請求項１２】
主に第一及び第二出力導体に設置する第一分岐ポートを含み、該導体は組合せ上においてそれぞれ第一埋設ケーブルの中心導体及び外導体と組合せ、
予定臨界値と少なくとも二個の第一及び第二導体間のロードに応じて定める標準値の算術組合せにおいて比較する第一比較器とすることを特徴とする埋設ケーブルに用いる複合式故障探測方法。
【請求項１３】
前記探測方法は第三及び第四出力導体の第二分岐ポートを設置し、該導体は組合せ上においてそれぞれ第二埋設ケーブルの中心導体及び外導体の組合せを設置し、
予定臨界値を少なくとも二個の第三及び第四導体間ロードに応じて定める標準値の算術組合せとし比較する第二比較器とし、
組合せ上において第一分岐ポート及び／或いは第二分岐ポートを失効させ、第一及び第二比較器の反応の交換器とすることを特徴とする請求項１２記載の埋設ケーブルに用いる複合式故障探測方法。
【請求項１４】
前記比較器は第一分岐ポート及び／或いは第二分岐ポートを選択し失効させるマイクロプロセッサを含むことを特徴とする請求項１２記載の埋設ケーブルに用いる複合式故障探測方法。
【請求項１５】
前記比較器は多機能器とアナログ／デジタルアダプタを含む信号ルートを含むことを特徴とする請求項１２記載の埋設ケーブルに用いる複合式故障探測方法。
【発明の詳細な説明】
【０００１】
【発明の属する技術分野】
本発明は一種のケーブル通信に関する。特に一種の組合せ上において交流電力を送電可能なケーブルの安全配備に係る。
【０００２】
【従来の技術】
同軸ケーブルは放送局から一般家庭やオフィスへと接続している。この種のケーブルのもともとの目的は、ユーザーに大量のテレビ信号を受信可能とするものであったが、徐々に、他の型式の信号の受信と発信、交流電力の同時受領にも使われるようになって来た(例えば、特許文献１参照)。そのため、架設される同軸ケーブルの数は莫大となり、そのメンテナンスのためのサービスは日々増加している。
もちろん、ユーザー地点には別の送電ソースがあるが、同軸ケーブルによる通信設備への送電は便利で経済的である。さらに、ユーザーのメインパワーがダウンした時も電話サービスを保持可能である等システムも堅固である。
しかし、ＣＡＴＶネットはもともとは送電しないものであったため、残念ながら公知のＣＡＴＶハードウエアは安全への配慮が欠けている。例えば、ケーブル埋設深度の多くは１８インチ（約４６０ｍｍ）以下で、またそれが全国電力法規（ＮＥＣ）が定める送電同軸ケーブルネットに対する規定最低深度である。ケーブルの埋設が十分深くなければ、ケーブルは容易に掘り起こされ損壊し、中心導体（外）アース間のショートの危険が生じる。また回路の分離、漏電、他の電気特性の品質低下の危険も増加する。
【０００３】
【特許文献１】
特開平１１−３４６３５０号公報
【０００４】
現在では米国市場において、「ＤＲＯＰ  ＣＨＥＣＫ」という名の送電同軸ケーブルの故障状況探測製品が販売されている。該製品は、ノースカロライナ州カバー市のブロードバンド電信会社が提供する製品である。このシステムは、分岐ポートの探測回路を用い、それが指摘する中心と外導体間の電気抵抗が受領可能な範囲を超過していないか否かを探測するものである。
しかし残念ながら、この種の方式は多くの部品を必要とする。さらに、故障も多く、損壊した埋設ケーブルが見付かった時には、問題を隔離するために、分岐ポートを交換しなければならない。また、保守と異常状況の探測に用いる信号サンプルの型式制御もまた理想的とは言い難いため、導体の信号混雑、電流突端信号パルス、共鳴、或いは他の類似の不規則により、簡単に誤った故障指示を発する。
【０００５】
【発明が解決しようとする課題】
上記公知構造の欠点を解決するため、本発明は埋設ケーブルに用いる複合式故障探測方法或いは装置の提供を課題とする。
それは、回路構成部品を選択し分岐ポートの各ポート間において用いることができる。
【０００６】
【課題を解決するための手段】
上記課題を解決するため、各発明は下記の埋設ケーブルに用いる複合式故障探測方法或いは装置を提供する。
請求項１の発明は、主に以下のステップを含み、
（ａ）埋設ケーブルの二つの導体間に周期電力信号を提供し、
（ｂ）該埋設ケーブルの測量された二つの導体間のロードに応じて、電流及び電圧に関する第一及び第二標準値を決定し、
（ｃ）該標準値による所定の算出された値が予定臨界値を超過してないかどうかの指示を提供することを特徴とする埋設ケーブルに用いる複合式故障探測方法である。
請求項２の発明は、前記方法は別に以下のステップを含み、
（ｄ）指示が予定臨界値を超過した異常作動のポジティブであるなら、少なくとも一個の分岐ポートを失効させ、ポジティブでないなら少なくとも一個の分岐ポートを失効させないことを特徴とする請求項１記載の埋設ケーブルに用いる複合式故障探測方法である。
請求項３の発明は、前記ステップ（ｃ）はステップ（ｃ１）を含み、
該スッテプ（ｃ１）は前記算出された値がボルト数量で表示可能な電力測量を導出することを特徴とする請求項１記載の埋設ケーブルに用いる複合式故障探測方法である。
請求項４の発明は、前記ステップ（ｃ１）はステップ（ｃ２）を含み、
前記ステップ（ｃ２）は、もし電力測量が約１００ＡＶを超過した時に故障状況の発生を指示し、超過しない時は一般には故障状況発生を指示しないことを特徴とする請求項３記載の埋設ケーブルに用いる複合式故障探測方法である。
請求項５の発明は、前記ステップ（ｂ）は別に以下のステップ（ｂ１）および（ｂ２）を含み、
前記スッテプ（ｂ１）は、サイクル電力信号の一部分をロードに通電し
前記スッテプ（ｂ２）は、該通電した値をサンプルとし、電流及び電圧に関する第一及び第二標準値を獲得することを特徴とする請求項１記載の埋設ケーブルに用いる複合式故障探測方法である。
請求項６の発明は、前記ステップ（ｂ２）は、サンプル取得周期２Ｆはサイクル電力信号の標称サイクルより小さいことを特徴とする請求項５記載の埋設ケーブルに用いる複合式故障探測方法である。
請求項７の発明は、前記サイクル電力信号の標称サイクルは６０Ｈｚで、サンプル取得ステップｂ２は５０ミリ秒の間隔内において開始と完了を行なうことを特徴とする請求項５記載の埋設ケーブルに用いる複合式故障探測方法である。
請求項８の発明は、前記測量ステップｂはステップｂ２を含み、各数値の平均により算術組合せを獲得することを特徴とする請求項５記載の埋設ケーブルに用いる複合式故障探測方法である。
請求項９の発明は、前記測量ステップ（ｂ）はステップ（ｂ１）を含み、第一標準値を測量し電流通過ロードの指示とすることを特徴とする請求項１記載の埋設ケーブルに用いる複合式故障探測方法である。
請求項１０の発明は、前記測量ステップ（ｂ）は以下の各ステップを含み、
（ｂ２）第二標準値を測量し、全ロードの電圧指示とし、
（ｂ３）第一数値を第二数値に掛け、散逸するロード中の電力の指示を得て、算術組合せとすることを特徴とする請求項９記載の埋設ケーブルに用いる複合式故障探測方法である。
請求項１１の発明は、前記測量ステップ（ｂ）は（ｂ１）を含み、
第一標準値を測量し全ロードの電圧の指示とすることを特徴とする請求項１記載の埋設ケーブルに用いる複合式故障探測方法である。
請求項１２の発明は、主に第一及び第二出力導体に設置する第一分岐ポートを含み、該導体は組合せ上においてそれぞれ第一埋設ケーブルの中心導体及び外導体と組合せ、
予定臨界値と少なくとも二個の第一及び第二導体間のロードに応じて定める標準値の算術組合せにおいて比較する第一比較器とすることを特徴とする埋設ケーブルに用いる複合式故障探測方法である。
請求項１３の発明は、前記探測方法は第三及び第四出力導体の第二分岐ポートを設置し、該導体は組合せ上においてそれぞれ第二埋設ケーブルの中心導体及び外導体の組合せを設置し、
予定臨界値を少なくとも二個の第三及び第四導体間ロードに応じて定める標準値の算術組合せとし比較する第二比較器とし、
組合せ上において第一分岐ポート及び／或いは第二分岐ポートを失効させ、第一及び第二比較器の反応の交換器とすることを特徴とする請求項１２記載の埋設ケーブルに用いる複合式故障探測方法である。
請求項１４の発明は、前記比較器は第一分岐ポート及び／或いは第二分岐ポートを選択し失効させるマイクロプロセッサを含むことを特徴とする請求項１２記載の埋設ケーブルに用いる複合式故障探測方法である。
請求項１５の発明は、前記比較器は多機能器とアナログ／デジタルアダプタを含む信号ルートを含むことを特徴とする請求項１２記載の埋設ケーブルに用いる複合式故障探測方法である。
【０００７】
これらの発明は、埋設ケーブルにおいて、正常の場合には入力部での電圧と測定部での電圧に大きな電位差はなく、切断や短絡があった場合に大きな電位差や異常電流が流れることを利用して、主に、以下の実施例に示すとおり、該方法は一種の埋設ケーブル二導体の間ロードに応じて定める第一及び第二標準値に少なくとも対して測量するステップである
本発明で言う「標準値」とは、電流及び電圧に関するあらゆる数量を含む測量の向量値で、単数値に属する。もし、ロードの任意の仮設変更が測量に従う変化を招く時、測定された数値は該ロードに応じて定める。次に指示を提供し、これに基づき、該標準値の算術組合せが予定臨界値を超過しないか否かを指示する。この指示は保守要員に対して異常状況の警告を発し、及び／或いは分岐ポートを失効させ、危険な状況から脱出させる。別の実施例では、二個以上でかつ埋設ケーブルに組合せる各分岐ポートの装置を設置し、交換ネットワークを制御可能なマイクロプロセッサを含み、予定臨界値と少なくとも二個の課すケーブル中の一個のロードに応じて定める標準値を比較後反応する。
【０００８】
【発明の実施の形態】
本発明の好適な実施例を図面に沿って説明する。
電力位率が、埋設ケーブル回路の下流現場設備に対して十分送電可能である時、「重大(significant)」を示す。「指示(indication)」は任意の意欲情報項目（例えば、イエス又はノー等）を取り出し可能な数値により、信号或いは信号構成は該信号或いは信号構成中にその他情報がないかどうかにかかわらない。
アースの故障時等、指示がもし異常操作状況を指摘するなら、「正(positiv)」である。同様に、もしそれが比較（導出）数量の関係の異常状況を示す時は、即ち、一定の限度を「超過」している。例えば、低制限値はより低い測量により超過し、上限値はより高い計算数量により超過する。
【０００９】
図１に示すように、本発明故障探測方法或いは装置１００は、入力端１５１と出力端１５２の同軸ケーブルにおいて、入力信号を受信可能な一部の同軸ケーブル分岐ポート１０１、１０２、１０３、１０４（複数、ｎ＝２、４、８…）の組合せ上に各設置をそれぞれ組み合わせ可能に設置する。ＲＦ統合コンデンサ１２１、１２２及びエミットコイル１４１は直流を遮断し高周波数信号及び商用ＡＣ電力を出力端１５２、および、分路ネット１２８に伝送する。直流隔絶コンデンサ１３１、１３２、１３３、１３４は、大電力が該分路ネット１２８を経由して該分岐ポート１０１、１０２、１０３、１０４へと伝送されるのを防止する
故障探測方法或いは故障探測装置１５０は、第二エミッタコイル１４２により、入力端１５１の信号の一部分を受信する。正常な作業時、該故障探測方法或いは装置１５０は各抗流コイル１７１、１７２、１７３、１７４（電感器）により、大電力を各対応する分岐ポートに伝送することが可能である。
同軸ケーブル１２８が切断や短絡した場合の故障状況下では、該故障探測方法或いは故障探測装置１５０は、選択的に一個以上の分岐ポート１０１、１０２、１０３、１０４を検査可能である。（例えば、大電力が、ある分岐ポートを通過できない時でも、データ信号は通過可能である。このことを、本文では該分岐ポートの「失効」という。）
例えば、分岐ポート１０１は中心導体１８１及び外導体１８２から構成されているが、両者間には該故障探測方法或いは故障探測装置１５０により感知されるロード１１１(負荷)を設置する。この場合に、埋設ケーブル１２１が分岐ポート１０１を統合した時、その導体１９１、１９２間のルートに短絡があり漏電の故障状況がある時には、該ロード１１１は大きくなる。同様に、該分岐ポート１０２も中心導体１８１及び外導体１８２から構成され、両者間にも該故障探測方法或いは故障探測装置１５０により感知されるロード１１２を設置し、該故障探測方法或いは故障探測装置１００と該埋設ケーブル１２１、１２２（図下方）が切断して分離する時、該ロード１１１、１１２は無限に近い抵抗を示す。
すなわち、正常の場合には第二エミッタコイル１４２から導入される入力部での電圧と、各抗流コイル１７１、１７２、１７３、１７４（電感器）から導入される測定部での電圧に大きな電位差はなく、埋設ケーブル１２１、１２２などに切断や短絡があった場合に大きな電位差や異常電流が流れることを検出する。
【００１０】
図２に示すように、該故障探測方法或いは故障探測装置１５０の具体的な構成は検出回路２５０に示すようなもので、エミッタコイル１４２の信号を受信可能な探測器入力端２５１で受け、それぞれの分岐ポートに接続可能な探測器出力端２５２が設けられ、分岐ポートから抗流コイル１７１〜１７４を介しての探測器入力信号は、複数の内から各一個の校準ロード２６１、２６２、２６３、２６４を選択するように通過交換ネット２８０の対応交換器２８１、２８２、２８３、２８４が設けられている。
ここで、所望の信号によって、公知の電流及び電圧検出回路である特殊応用積体回路（ＡＳＩＣ）２７０を経由して、基礎のネット２８０の制御は可能である。
該四個の校準ロード２８１〜２８４は、探測器入力端２５１とアース入力端に接続され、ここで示すＡＳＩＣ部品の電源は、上記入力を通して、交流電力が生じる直流電源により供給されるが、多機能器２７２はこれら入力端より選択を行い、多機能入力２７３をアナログ／デジタルアダプタ２７４に提供する。
そのデータに対する取得により、デジタル測量２７５をマイクロプロセッサ２７６に提供し、該マイクロプロセッサ２７６はこれらの測量を検出し、該検出値と臨界値を比較し、二進制比較結果のデータ２７７を交換ネット２８０に伝送し、選択的に分岐ポート１０１、１０２、１０３、１０４を遮断する。
例えば、ロード２６１が１０ミリオームの抵抗であるなら、該多機能器２７２を使用し、一個の通過交換器２８１の電流を測量する。これにより、二個の抵抗の端子を選択し、ロード全体が測量した電流差を１０ミリオームで割る。該入力端２５１の電圧測量にこの電流を掛け、ロードのサイクル測量を算出することができる。或いは、該校準ロード２６１、２６２、２６３、２６４を変流器とし、測量の正確性と再現性を向上させることもできる。
【００１１】
次に、図３に示すように、本発明の故障検出の詳細な方法３００はステップ３０５から３５５まで説明する。
この方法３００は、図１及び図２の回路を選択、使用するが、スッテプ３１０において、一本の埋設ケーブルを伝送６０Ｈｚ交流電力を選択分岐ポートに伝送する。
ステップ３１５において、検出回路２５０で、短時間の所定周期で連続１０回の電圧測量及び１０回の電流測量を行なうが、使用するサンプル周期は電力信号周期より小さいことが望ましい。
ステップ３２０では、各回の計測電圧をその対応する計測電流に掛けて、その値を取得する。
ステップ３２５において、連続する各対のサイクル値を平均し、各平均値と設定値を比較する。もし、設定値を超過するなら、ステップ３３０において分岐ポートを選択し、速やかに遮断させ、故障警告を起動する。該故障警告は各交換器２８１、２８２、２８３、２８４と直列する発光ダイオードにより構成する。例えば、故障が発生すると該発光ダイオードは消灯する。或いは、故障警告はサービス提供者に対して警告を発し、ハードウエアに問題が発生したことを示す上流信号とすることもできる。
超過していないならステップ３３５において３０ｍＡの予定臨界値により連続三個の測定電流値を比較する。
３０ｍＡの最低限度値を超過しているなら、ステップ３４０において選定した分岐ポートを失効させる。
もし数個の分岐ポートが検査を必要とするなら、ステップ３４５において次に使用可能な分岐ポートを選択し、ステップ３１０から３４５までを繰り返す。（サービス人員がいない場合には、このシステムは自動的に故障のポートを再検査する。
方法３００は一種のポート正常に作動するかどうかを反復検査する有効な方式である。
【００１２】
複合式故障探測方法３００は弾力的に実施するなら、図２のマイクロプロセッサ２７６を用い執行することができる。この場合、ステップ３５０はサンプルがぴったり合うステップを選択し、含むことができる。例えば、第一回測定の表示値内に二回以上の作動以上を示した（ステップ３４０或いはステップ３５０を実施する必要がある）場合には、第一回測定に用いた周期サイクル信号とは異なる相位関係中において別の二回以上の表示値を得ることができる。
この種の方式は該マイクロプロセッサ２７６を用い各様のサイクル波形を計算し、得られる異なる相位点の測量に基づき、サイクル信号が呈する波形が方形、のこぎり型、正弦、或いは他の形状であるかを見て決める。
【００１３】
本発明は、第一実施例において同軸分岐ポート（例えば１０１）を具え、かつ該分岐ポートは二個の出力導体（例えば１８１、１８２）を設置する。
該出力導体の組合せは、それぞれ第一埋設ケーブル（例えば１２１）の中心導体（例えば１９１）と外導体（例えば１９２）を組み合わせる。探測器回路（例えばＡＳＩＣ２７０）の組合せは、予定臨界値（例えば１００ＶＡ）と少なくとも二個の第一及び第二導体の間ロード（例えば１１１）に応じて決める表示値の算術組合せ（例えば図３のステップ３２５が行なう組合せ）を設置し、比較することができる。
【００１４】
第二実施例中においては、別の分岐ポート（例えば１０２）を提供する。該分岐ポートは二個の出力導体（例えば１８３、１８４）を設置する。該出力導体の組合せはそれぞれ第二埋設ケーブル（例えば１２２）の中心導体（例えば１９３）と外導体（例えば１９４）を設置し、組み合わせる。探測器回路の組合せは、予定臨界値（例えば１００ＶＡ）と少なくとも二個の第二分岐ポートの出力導入体の間ロード（例えば１１２）に応じて決める生じ値の算術組合せ（例えば図３のステップ３２５から行なう組合せ）と比較する。該探測器回路は交換器（例えば２８０）に接続し、該交換器は比較結果（例えば２７７）を受信可能となる。交換器の組合せは任意の或いはすべての分岐ポート（例えば１０１、１０２、１０２）から選択、失効し、これらの結果の反応とすることができる。
【００１５】
第三実施例中において、一本の埋設ケーブルに設置する二つの導体間に周期電力信号のステップを提供する（例えばステップ３１０）。予定サンプル取得時間において、少なくとも第一及び第二標準値を取得し、それぞれ同軸埋設ケーブルの二個の導体間のロードに応じて決定する（例えばステップ３１５と３２０）。続いて、指示を発し、該標準値の算術組合せが予定臨界値を超過していないか否かを表示する（例えばステップ３３０と３４０）。これら指示は、埋設ケーブルの分岐ポートの出力が失効させるか否かを選択し制御可能である。
【００１６】
第四実施例において、算術組合せはボルト数量の市明くる測量平均値（例えばステップ３２５）として表示可能である。臨界値は約１００ボルトのサイクルを上限値とする。
第五実施例においては、サンプル取得ステップは５０ミリ秒の間隔内におけるスタートと完了である（例えばステップ３３０）サンプル取得周期２Ｆのサンプル取得サイクル進行より大きく、その内サンプル取得周期Ｆは周期電力信号の規格上のサイクル（例えばステップ３１０と３１５）である。
【００１７】
【発明の効果】
上記のように本発明の複合式故障探測方法は、検査が困難な多岐に分岐した埋設ケーブルにおいて、回路構成部品を自動的に選択し分岐ポートの各ポート間において同時に複数用いることができ、さらに技術人員に対して異常状況の警告を発し、及び／或いは分岐ポートを自動的に遮断し、危険な状況を回避することができる。
【図面の簡単な説明】
【図１】本発明の実施例において、入力端、出力端と一部の入力信号を受信可能な同軸分岐ポートの埋設ケーブル指示図である。
【図２】本発明の第一実施例の探測器の回路図である。
【図３】図１及び図２の回路のブロックチャートである。
【符号の説明】
１００  故障探測装置（方法）
１０１  分岐ポート
１０２  分岐ポート
１０３  分岐ポート
１０４  分岐ポート
１１１  ロード
１１２  ロード
１９１  導体
１９２  導体
１２１  ＲＦ統合コンデンサ
１２１  埋設ケーブル
１２２  ＲＦ統合コンデンサ
１２２  埋設ケーブル
１２８  分路ネット
１３１  直流隔絶コンデンサ
１３２  直流隔絶コンデンサ
１３３  直流隔絶コンデンサ
１３４  直流隔絶コンデンサ
１４１  エミッタコイル
１４２  エミッタコイル
１５０  故障探測装置器（方法）
１５１  入力エンド
１５２  出力エンド
１７１  抗流コイル
１７２  抗流コイル
１７３  抗流コイル
１７４  抗流コイル
１８１  中心導体
１８２  外導体
１８３  中心導体
１８４  外導体
２５０  回路
２５１  入力端
２５２  出力端
２６１  校準ロード
２６２  校準ロード
２６３  校準ロード
２６４  校準ロード
２７０  ＡＳＩＣ
２７２  多機能器
２７３  多機能入力
２７４  アナログ／デジタルアダプタ
２７５  デジタル測量
２７６  マイクロプロセッサ
２７７  データ
２８０  交換ネット
２８１  交換器
２８２  交換器
２８３  交換器
２８４  交換器
【図１】
2004194466.tif 000003
【図２】
2004194466.tif 000004
【図３】
2004194466.tif 000005